(57)【要約】      （修正有）【課題】シリンダー錠の着脱、取付けが容易にできる上に製作が簡便にでき、かつ、その錠の抜き取りを防止することができるシリンダー錠の取付け構造を提供する。【解決手段】シリンダー錠１をケース８に着脱可能に装着したものであり、シリンダー錠１の内筒２の軸部の端部に係止部５を設け、この係止部５をケース８に設けた係止プレート１７の係止孔１６に挿入可能に形成している。これによってシリンダー錠１を開錠状態にしたときに係止部５と係止プレート１７の係止孔１６の位置が一致しシリンダー錠１の着脱を可能とし、また、シリンダー錠１を施錠状態にしたときに係止部５と係止プレート１７の係止孔１６の位置が不一致となりシリンダー錠１を抜き出し不可能としている。【選択図】図１
0003165283.tif 000002
【実用新案登録請求の範囲】
【請求項１】
ケースに着脱可能に装着されるシリンダー錠の内筒の軸部端部にその軸部径より大きい外形を有する係止部を設け、この係止部が挿通可能な係止孔を有する係止プレートをケースに設け、上記シリンダー錠の係止部と係止プレートの係止孔の関係は、シリンダー錠が開錠状態にあるときにシリンダー錠の係止部が係止プレートの係止孔に一致しシリンダー錠の着脱を可能とし、シリンダー錠が施錠状態にあるときにシリンダー錠の係止部が係止プレートの係止孔に不一致となりシリンダー錠を抜き出し不可能とするように形成されていることを特徴とするシリンダー錠の取付け構造。
【請求項２】
シリンダー錠の係止部と係止プレートの係止孔の断面形状を略長方形に形成した請求項１に記載のシリンダー錠の取付け構造。
【請求項３】
ケースに形成した溝に係止バネを設け、この係止バネをシリンダー錠の外筒に形成した係止溝に着脱可能に係合させ、このケースに形成した孔よりピンを挿入して係止バネを係止溝から離脱可能にした請求項１または２に記載のシリンダー錠の取付け構造。
【請求項４】
ケースのシリンダー錠ケース部の内面に突部を設け、この突部をシリンダー錠の外筒に形成した長溝に係合させるようにした請求項１ないし３のいずれかに記載のシリンダー錠の取付け構造。
【考案の詳細な説明】
【技術分野】
【０００１】
本考案は、シリンダー錠の着脱、取付けを容易にし、かつその錠の抜き取りを防止するシリンダー錠の取付け構造に関する。
【背景技術】
【０００２】
シリンダー錠は、マンションやアパート、ビル、住宅等のドア等に居住者用の錠装置として、あるいは管理者のマスターキー用の錠装置として広く使用されている。このシリンダー錠のキーまたはマスターキーを紛失した場合には、シリンダー錠を交換する必要があり、一般にはシリンダー錠の内筒を交換している。また、シリンダー錠が不正に抜き取られないように防止する手段も種々考えられている。
この種のシリンダー錠として、例えば、実用新案登録第２５９１０３３号公報に記載されるものが存在する。このシリンダー錠は、シリンダー錠の内筒を交換するものであり、内筒の先端部に係止片を装着し、この係止片を外筒に形成した係止溝に着脱可能に係合させ、内筒交換用の鍵を用いて係止片を外筒の係止溝から離脱させて交換するようにしたものである。このように、上記シリンダー錠は、係止片を内筒に形成すると共に係止溝を外筒に形成するものであるから、構造が複雑であって製作上において難点があり、かつ、係止片を厚く形成することができないので、強度上弱くシリンダー錠が不正に抜き取られてしまう恐れがあった。
【先行技術文献】
【特許文献】
【０００３】
【特許文献１】実用新案登録第２５９１０３３号公報
【考案の概要】
【考案が解決しようとする課題】
【０００４】
本考案は、これらの問題点を解消するものであり、シリンダー錠の着脱、取付けが容易にできる上にその製作が簡便にでき、かつ、錠の不正な抜き取りを防止することができるシリンダー錠の取付け構造を提供しようとするものである。
【課題を解決するための手段】
【０００５】
本考案は、シリンダー錠をケースに着脱可能に装着したものであり、シリンダー錠の内筒の軸部の端部に係止部を設け、この係止部をケースに設けた係止プレートの孔に挿入可能に形成し、シリンダー錠を開錠状態にしたときに係止部と係止プレートの孔の位置を一致させてシリンダー錠の着脱を可能とし、シリンダー錠を施錠状態にしたときに係止部と係止プレートの孔の位置を不一致とさせてシリンダー錠を抜き出し不可能とするようにしたものである。
【０００６】
また、ケースの溝に係止バネを設け、この係止バネをシリンダー錠の外筒に形成した係止溝に着脱可能に係合させ、そのケースに形成した孔からのピンの挿入により係止バネを係止溝から離脱可能にしたものである。
【０００７】
更に、ケースのシリンダー錠ケース部の内面に突部を設け、この突部をシリンダー錠の外筒に軸方向に形成した長溝に係合させるようにしたものである。
【０００８】
シリンダー錠としては、キーの種類に応じてピンタンブラー、レバータンブラー、ディスクタンブラー等のものが用いることができる。
【０００９】
シリンダー錠の係止部と係止プレートの断面形状は、長方形、楕円形、小判形、繭形、三角形など、シリンダー錠を開錠状態にしたときに係止部と係止プレートの孔の位置が一致し、シリンダー錠を施錠状態にしたときに係止部と係止プレートの孔の位置が不一致となるような形状に形成される。
【考案の効果】
【００１０】
本考案は、ケースに設けた係止プレートの孔にシリンダー錠の内筒の軸部端部に設けた係止部を挿入し、キーを開錠状態位置または施錠状態位置に回転して上記係止部を係止プレートの孔に係脱可能に形成したものであるので、シリンダー錠の交換が簡便にでき、かつ不正なシリンダー錠の抜き取りを防止することができる。また、ケースにシリンダー錠に形成した係止溝に着脱可能に係合する係止バネを設けたので、シリンダー錠の抜き取りを一層防止することができる。更に、シリンダー錠の外筒に形成した長溝にケースのシリンダー錠挿入孔の内面に設けた突起部を係合可能に形成しているので、シリンダー錠の交換時等にシリンダー錠を所定の位置に挿入することができ、かつシリンダー錠の回転を防止することができる。
【図面の簡単な説明】
【００１１】
【図１】シリンダー錠を装着した状態の上部ケースを示す分解斜面図である。
【図２】シリンダー錠の拡大平面図である。
【図３】図２に示すシリンダー錠において、シリンダー錠の外筒に形成した長溝を正面にして示すシリンダー錠の拡大平面図である。
【図４】係止プレートの拡大平面図である。
【図５】ケースにシリンダー錠を装着した部分を示す拡大断面図である。
【図６】ケースにシリンダー錠とカード式錠を装着した状態を示す斜面図である。
【図７】図６において、ケースにシリンダー錠とカード式錠を装着した状態を示す拡大平面図である。
【図８】シリンダー錠が装着された錠装置をドアに取り付けた状態を示す斜面図である。
【考案を実施するための形態】
【００１２】
シリンダー錠１は、図１〜図３に示すように、内筒２と外筒３を有し、その内筒２の軸４の先端部に軸径より大きな外形を有し断面が長方形状の係止部５が設けられている。なお、実施例では、シリンダー錠１としてピンタンブラー型式のものを用い、施開錠のキーとしてディンプルキー６を用いている。
【００１３】
シリンダー錠１の外筒３の先端部には、図２に示すように、シリンダー錠１の内筒２の端部に設けたピン７を案内する切り欠き部８が形成されており、この切り欠き部８によって内筒２が開錠状態位置と施錠状態位置の両位置間で移動できるように規制されている。この例では、シリンダー錠１は、マスターキー専用の錠として用いられており、キーの回転角度を約９０度としているが、通常のシリンダー錠のようにキーの回転角度を約１８０度等とするようにしてもよい。
【００１４】
次に、シリンダー錠１をケースに装着する場合について、図１、図３及び図５を用いて説明する。
先ず、シリンダー錠１にキー６を挿入し、キーを回転して内筒２を開錠状態位置に移動する。この状態で、シリンダー錠１をケース８のシリンダー錠ケース部９に開口部１０から挿入する。その際に、シリンダー錠１の外筒３に形成された長溝１１がシリンダー錠ケース部９内に設けられた突部１２に係合するように挿入する。この場合、ケースの端面に形成された目印１３に、シリンダー錠１の端面に形成された目印１４を合わせてシリンダー錠１を挿入すると、上記長溝１１と突部１２が一致するようになる。
【００１５】
ケース８に形成された溝孔１５には、係止孔１６を有する係止プレート１７が挿入されており、この係止孔１６は、図４に示すように、上記シリンダー錠１の係止部５と同様の断面形状をしているので、シリンダー錠１の係止部５を係止孔１６に挿入することができる。
シリンダー錠１の係止部５を係止孔１６に挿入した後に、キー６を回転させて内筒２を施錠状態位置方向に移動させると、シリンダー錠１の係止部５と係止プレート１７の係止孔１６が不一致となり、シリンダー錠１を引き抜こうとしても係止部５が係止プレート１７に当って引き抜くことができない。即ち、シリンダー錠１が開錠状態位置にあるときは、シリンダー錠１の出し入れができ交換可能となるが、シリンダー錠１が施錠状態位置にあるときは、シリンダー錠１を抜き出すことができないので、シリンダー錠１の抜き取りが阻止される。
【００１６】
また、実施例では、シリンダー錠１を所定のシリンダー錠ケース部９の位置に保持し、かつ、シリンダー錠１の抜き取りを阻止するための手段が設けられている。
即ち、シリンダー錠ケース部９に形成した段状の溝１８に係止バネ１９を装着し、この係止バネ１９の一方端部側２０をシリンダー錠１の外筒３に形成した平坦状の係止溝２１に係合させている。なお、この係止バネ１９による係止状態を解除する場合は、ケース８の端面に形成した孔２２にピン２３を差し込み、係止バネ１９を持ち上げてその係止を解くようにする。
【００１７】
実施例では、シリンダー錠１の作動に伴って、ケース８に装着したカード式錠２４に連動しカード式錠を施錠・開錠可能状態と施錠・開錠不可能状態に作動させている。
このカード式錠２４は、キーカード２５を抜き差しすることによって施錠、開錠するようにしたもので、錠内にコードカード、コード孔に係合するボール、作動体の移動を規制するピン、ピンを挿入する長孔、ピンをボール側に付勢するバネ等を備えており、そのカード式錠の作動突片２６が作動プレート２７に連結している。
【００１８】
一方、シリンダー錠１の係止部５は、上記係止プレート１７の溝孔１５に連通する溝孔２８に挿入された回転カム２９の孔３０に係合しており、この回転カム２９と作動プレート２７の間には連結プレート３１が渡されている。この連結プレート３１の一方側端部に設けた突起部３２が回転カム２９のカム溝３３に係合し、連結プレート３１の他方端部に設けた掛け孔３４が作動プレート２７の突片３５に係合することによって回転カム２９と作動プレート２７が連結されている。なお、回転カム２９には、クリック機構が設けられており、シリンダー錠ケース部９内に設けたバネ３６で付勢されたボール３７が回転カム２９の凹溝３８に係合している。
【００１９】
従って、シリンダー錠１を開錠状態にすると、カード式錠２４が施錠・開錠可能状態となり、レバーハンドル３９を操作することによりデッドボルト４０を移動させて施開錠することができる。また、シリンダー錠１を施錠状態にすると、カード式錠２４は施錠・開錠不可能状態となり、レバーハンドル３９を操作しても施開錠することができない。なお、レバーハンドル３９は、ラッチボルト４１に連結されており、レバーハンドル３９の操作によりラッチボルト４１を作動することができる。
【符号の説明】
【００２０】
１  シリンダー錠    ２  内筒    ３  外筒    ４  軸    ５  係止部    ８  ケース    １５  溝孔    １６  係止孔    １７  係止プレート    １８  溝    １９  係止バネ    ２１  係止溝    ２２  孔    ２３  ピン    ２４  カード式錠    ２５  キーカード    ２７  作動プレート    ２９  回転カム    ３１  連結プレート    ３９  レバーハンドル    ４０  デッドボルト    ４１  ラッチボルト
【図１】
0003165283.tif 000003
【図２】
0003165283.tif 000004
【図３】
0003165283.tif 000005
【図４】
0003165283.tif 000006
【図５】
0003165283.tif 000007
【図６】
0003165283.tif 000008
【図７】
0003165283.tif 000009
【図８】
0003165283.tif 000010